Podtech/llm-jp-corpus-v4-ja_patent huggingface dataset:
(57)【要約】【課題】従来の浮漁礁は、単に魚を集める機能だけの物であった。【解決手段】浮漁礁に海洋深層水の汲み上げ機能を持たせることにより海面表層部に栄養豊富な海洋深層水を流すことができ小魚の餌となる多くのプランクトンを発生させ、より多くの魚を寄せ集めることのできる浮漁礁を実現すること及び多くのプランクトンを発生させることにより大気中のＣＯ２削減も実現することができ地球温暖化防止も期待できる。  また、浅瀬の湾等に海洋深層水汲み上げ式浮漁礁を設置して、海洋深層水汲み上げパイプを深層水のある海域まで海底に敷設することで海洋深層水を浅瀬の湾等に汲み上げることも可能である。【選択図】図１
2009165451.tif 000002
【特許請求の範囲】
【請求項１】
浮漁礁に海洋深層水の汲み上げホース及び汲み上げポンプを取り付け、海洋深層水を海面付近に汲み上げることのできるようにした浮漁礁である。
【発明の詳細な説明】
【技術分野】
【０００１】  本発明は、海洋深層水汲み上げ機能を持たせた浮漁礁に関する。
【発明の開示】
【発明が解決しようとする課題】
【０００２】  従来の浮漁礁は、単に海面表層近くの浮漁礁付近に魚を寄せ集めるだけの物であった。
【課題を解決するための手段】
【０００３】  本発明は、従来の魚を寄せ集めるだけではなく、栄養豊富な海洋深層水を海面表層部に汲み上げることにより小魚の餌となる多くのプランクトンを発生させ、より多くの魚を寄せ集めることのできる浮漁礁を実現すること及び多くのプランクトンを発生させることにより大気中のＣＯ２削減も実現することを目的とするものである。
なお、深層水汲み上げポンプの動力源は、太陽光発電装置、風力発電装置、波力発電装置等による。
【発明の効果】
【０００４】  上述したように本発明の海洋深層水汲み上げ機能を持たせた浮漁礁は、栄養豊富な海洋深層水を汲み上げ上げることにより海面表層にプランクトンを発生させ多くの魚を寄せ集めることができる。
また、プランクトンを発生させることで大気中のＣＯ２を削減させることができる。
【発明を実施するための最良の形態】
【０００５】  以下、本発明の実施の形態を図に基づいて説明する。
【実施例】
【０００６】  図１、図２（断面図）においては、１は浮漁礁本体で浮体部、２は海面、３は海洋深層水を表層付近に撒くパイプ、４は深層水汲み上げのためのパイプ、５は係留装置、６は海底、７は深層水汲み上げポンプモーター、８は深層水汲み上げポンプインペラであり、矢印は深層水の流れを示す。
なお、動力源は図示していないが陸上から送電できない場合は太陽光発電装置、風力発電装置、波力発電装置等によるものとする。
【産業上の利用可能性】
【０００７】海洋深層水取水用に利用可能であり、また海洋牧場に設置すればプランクトンが給餌となる。
浅瀬の湾等に海洋深層水汲み上げ式浮漁礁を設置して、海洋深層水汲み上げパイプを深層水のある海域まで海底に敷設することで海洋深層水を浅瀬の湾等に汲み上げることも可能である。
湖沼においても利用可能である。
【図１】
2009165451.tif 000003
【図２】
2009165451.tif 000004
【手続補正書】
【提出日】平成20年3月8日(2008.3.8)
【手続補正２】
【補正対象書類名】明細書
【補正対象項目名】全文
【補正方法】変更
【補正の内容】
【発明の詳細な説明】
【技術分野】
【０００１】  本発明は、深層水汲み上げ機能を持たせた浮漁礁に関する。
【発明の開示】
【発明が解決しようとする課題】
【０００２】  従来の浮漁礁は、単に海面表層近くの浮漁礁付近に魚を寄せ集めるだけの物であった。
【課題を解決するための手段】
【０００３】  本発明は、従来の魚を寄せ集めるだけではなく、栄養豊富な深層水を海面表層部に汲み上げることにより小魚の餌となる多くのプランクトンを発生させ、より多くの魚を寄せ集めることのできる浮漁礁を実現すること及び多くのプランクトンを発生させることにより大気中のＣＯ２削減も実現することを目的とするものである。
なお、深層水汲み上げポンプの動力源は、送電された電力、太陽光発電装置、風力発電装置、波力発電装置等による電力とする。
【発明の効果】
【０００４】  上述したように本発明の深層水汲み上げ機能を持たせた浮漁礁は、栄養豊富な深層水を汲み上げ上げることにより海面表層にプランクトンを発生させ多くの魚を寄せ集めることができる。
また、プランクトンを発生させることで大気中のＣＯ２を削減させることができ結果地球温暖化を防止することができる。
【発明を実施するための最良の形態】
【０００５】  以下、本発明の実施の形態を図に基づいて説明する。
【実施例】
【０００６】  図においては、１は浮漁礁本体で浮体部、２は海面、３は深層水を表層付近に撒くパイプ、４は深層水汲み上げのためのパイプ、５は係留装置、６は海底、７は深層水汲み上げポンプモーター、８は深層水汲み上げポンプインペラであり、矢印は深層水の流れを示す。
なお、動力源は図示していないが送電された電力、太陽光発電装置、風力発電装置、波力発電装置等による電力とする。
【産業上の利用可能性】
【０００７】  深層水取水用にも利用可能であり、また海洋牧場に設置すれば発生させたプランクトンから食物連鎖により魚を畜養できる。
【図面の簡単な説明】
【０００８】
【図１】本発明の実施形態を示す深層水汲み上げ式浮漁礁の側面図
【図２】本発明の実施形態を示す深層水汲み上げ式浮漁礁の断面図
【符号の説明】
【０００９】  １  浮漁礁本体
２  海面
３  深層水を表層付近に撒くパイプ
４  深層水汲み上げのためのパイプ
５  係留装置
６  海底
７  深層水汲み上げポンプモーター
８  深層水汲み上げポンプインペラ
(57)【要約】【課題】玄米や精白米等の米からパン粉状の米粉をできるだけ簡単に製造可能な製造方法を提案する。【解決手段】本発明で提案する米粉の製造方法は、閉鎖した先端面５ｃに米粒よりも小径の押出孔５ｄを有する筒５内において、スクリューコンベア６にて先端面５ｃに向け米を搬送し、該搬送により米を先端面部位に密集させて押し潰しつつ押出孔から押し出す押出工程と、この押し出し処理後の処理米Ｒを粉砕して米粉とする粉砕工程と、を含むことを特徴とする。【選択図】図３
2009165412.tif 000002
【特許請求の範囲】
【請求項１】
閉鎖した先端面に米粒よりも小径の押出孔を有する筒内において、スクリューコンベアにて前記先端面に向け米を搬送し、該搬送により米を前記先端面部位に密集させて押し潰しつつ前記押出孔から押し出す押出工程と、
この押し出し処理後の処理米を粉砕して米粉とする粉砕工程と、
を含むことを特徴とする米粉の製造方法。
【請求項２】
前記押出工程において、前記押出孔から連続して押し出される処理米をカッターにて所定の長さに切断していくことを特徴とする請求項１記載の米粉の製造方法。
【請求項３】
請求項１又は請求項２記載の米粉の製造方法によって玄米から製造された米粉。
【発明の詳細な説明】
【技術分野】
【０００１】
本発明は、加圧を使用した米粉の製造方法に関する。
【背景技術】
【０００２】
いわゆるポン菓子製造機など、圧力（熱）を利用して玄米を膨張させ、これを粉砕して米粉を製造する方法が、例えば特許文献１，２に開示されている。これにより製造される米粉は、小麦粉状の粉末で、米菓やパンの材料として使用される。
【特許文献１】特開昭６３−０２２１５５号公報
【特許文献２】特開２００５−０００１５６号公報
【発明の開示】
【発明が解決しようとする課題】
【０００３】
上記製造方法により製造される米粉は小麦粉のような粉末であるが、同製法によってパン粉のように粒の粗い米粉を製造することは難しい。本発明はこの点に着目したもので、玄米や精白米等の米からパン粉状の米粉をできるだけ簡単に製造可能な製造方法を提案するものである。
【課題を解決するための手段】
【０００４】
本発明で提案する米粉の製造方法は、閉鎖した先端面に米粒よりも小径の押出孔を有する筒内において、スクリューコンベアにて前記先端面に向け米を搬送し、該搬送により米を前記先端面部位に密集させて押し潰しつつ前記押出孔から押し出す押出工程と、この押し出し処理後の処理米を粉砕して米粉とする粉砕工程と、を含むことを特徴とする。
【発明の効果】
【０００５】
本発明の製造方法によれば、筒内の先端面部位に米が次々と送り込まれて密集していくことで互いに加圧され、１３０℃程度まで温度が上昇して互いに押し潰し合い、ペースト状となって押出孔から押し出される。そして、押出孔から外へ押し出されると雰囲気温度が急変するため膨張して固まっていく。この押し出し処理後の処理米を粉砕すると、小麦粉のような粉末状ではなく、パン粉のような粒状の米粉を得ることができる。つまり、加圧押し出しの手法で簡単にパン粉状の米粉を製造することができ、米粉の用途を広め、普及に貢献する。
【発明を実施するための最良の形態】
【０００６】
図１〜図３に、本発明に係る米粉の製造方法を実施する製造装置の一例を示している。
【０００７】
米粉とする原料の一例として玄米は、透明な樹脂ケース１で覆った投入口２へ投入される。当該投入口２は、中央にスクリューコンベア３が設けられており（図２）、このスクリューコンベア３の回転によって、ほぼ一粒ずつ、投下管４内を先端に向け搬送されていく。その投下管４の先端部分下側には、搬送されてきた玄米を投下するための投下孔４ａが開けられており、当該投下孔４ａからほぼ一粒ずつ、筒５内へ玄米が落ちていくようになっている。
【０００８】
筒５は、投下管４の投下孔４ａに相応する部位に、落ちてくる玄米を確実に受け取るための漏斗部５ａを備えた投入孔５ｂが設けられており、落下してきた玄米は、この投入孔５ｂを通って筒５内へ投入される。筒５内には、当該筒５の内径にほぼ匹敵する直径のスクリューコンベア６が配設されており（図３）、このスクリューコンベア６の回転によって、玄米が筒５の先端面５ｃに向け搬送されていく。
【０００９】
筒５の先端面５ｃは閉鎖されているが、ただし、玄米よりも小径の押出孔５ｄが１以上開けられている。したがって、スクリューコンベア６にて先端面５ｃに向け搬送されてくる玄米は、先端面５ｃに堰き止められて徐々に先端面部位に密集していく。スクリューコンベア６により強制的に密集させられていくため、玄米どうし互いに加圧されることになって１３０℃程度まで温度は上昇し、この高温密集状態にある玄米は、スクリューコンベア６の回転による攪拌もあって互いに押し潰し合い、次第にペースト状となる。そして、筒５内の先端面部位でペースト状になると、先端面５ｃに開けられた押出孔５ｄを抜けることが可能になるため、押出孔５ｄから徐々に押し出されていく（押出工程）。
【００１０】
このように押出孔５ｄから押し出された後の処理米Ｒは、外気と触れるため、雰囲気温度の急変に伴って膨張すると共に固まっていく。本例の装置の場合、この押出孔５ｄから連続して押し出される処理米Ｒを、回転するカッター７にて所定の長さに切断するようにしている。この方が、粉砕しやすいためである。
【００１１】
押し出し処理後の処理米Ｒは、図示せぬミキサー等の粉砕装置により粉砕して米粉とする（粉砕工程）。この粉砕にかける処理米Ｒは、一旦ペースト状にしてから膨張させて固めたものなので、いわゆる“パリパリ”の状態となっており、粉砕したときに小麦粉のような粉末状にはならず、粗く砕かれてパン粉のような状態となる。
【００１２】
このように、加圧押し出しの手法で簡単に玄米からパン粉状の米粉を製造することができる。
【図面の簡単な説明】
【００１３】
【図１】本発明に係る製造方法に使用する装置の概略図。
【図２】図１の装置の投入口部分を示した概略図。
【図３】図１の装置の投下管及び筒の部分を拡大した概略図。
【符号の説明】
【００１４】
１  樹脂ケース
２  投入口
３  スクリューコンベア
４  投下管
５  筒
５ａ  漏斗部
５ｂ  投入孔
５ｃ  先端面
５ｄ  押出孔
６  スクリューコンベア
７  カッター
【図１】
2009165412.tif 000003
【図２】
2009165412.tif 000004
【図３】
2009165412.tif 000005
(57)【要約】【課題】従来の蓄電池の充電方法では長期的な部分充放電を繰り返すこととなり、その結果、蓄電池のサイクル劣化を加速させ、電池寿命が短くなるという課題があった。【解決手段】上記課題を解決するために、本発明の無停電電源装置はＥＣＵ（制御ユニット）と消費電流検出手段により浮動充電時に動作しているインバ−タ等の蓄電池からの消費電流を検出し、これらの値と同じ電流を充電することにより蓄電池に対する充放電量をゼロとなるような充電制御を行うことを特徴とするものであり、これにより電池寿命を飛躍的に向上させることができる。【選択図】図１
2009165203.tif 000002
【特許請求の範囲】
【請求項１】
無停電電源装置において、蓄電池と、前記蓄電池への充電制御を行うＥＣＵと、前記無停電装置内で消費される消費電流を検出する消費電流検出手段と、前記蓄電池への充電電流を検出する充電電流検出手段とを備え、
浮動充電時に動作している前記無停電電源装置内の消費電流を前記消費電流検出手段により検出し、検出された消費電流と同じ電流を前記蓄電池に充電することで前記蓄電池に対する充放電量が等しくなる充電制御を前記ＥＣＵが行うことを特徴とする無停電電源装置。
【発明の詳細な説明】
【技術分野】
【０００１】
本発明は、無停電電源装置に内蔵される蓄電池の充電方法及び充電装置に於いて最適な浮動充電方式により蓄電池寿命を向上させるものである。
【背景技術】
【０００２】
従来の無停電電源装置に於ける全体ブロックを図４に示す。
【０００３】
図４に於いて電池１２は交流電源２より電力供給を受けリレ−３を介して充電装置１３にて充電制御される。また交流電源２が異常（停電）時は蓄電池１２より電力供給を受けダイオ−ド１４を介してＤＣ／ＡＣインバ−タ５により交流電源を発生し出力１にて負荷へ供給される。
【０００４】
次に従来の無停電電源装置での充電タイミングチャ−ト図５により補足を加える。本タイミングチャ−トでは縦軸に内蔵電池の電池電圧と充電装置１３からの充電電流ＩｃｈｇとＤＣ／ＡＣインバ−タ５を駆動する消費電流Ｉｄｉｓを用いている。
【０００５】
蓄電池の初回充電終了後は充電電流がＯＦＦとなる為、蓄電池は消費電流Ｉｄｉｓにより放電状態が継続される。本状態にて蓄電池が規定電圧まで降下すると再度充電動作となり以降上記動作が繰り返される（例えば、特許文献１参照）。
【特許文献１】特開平５−８３８７９号公報
【発明の開示】
【発明が解決しようとする課題】
【０００６】
しかしながら前記従来の蓄電池の充電方法では長期的な部分充放電を繰り返すこととなり、その結果、蓄電池のサイクル劣化を加速させ、電池寿命が短くなるという課題があった。
【課題を解決するための手段】
【０００７】
前記従来の課題を解決するために、本発明の無停電電源装置は、ＥＣＵ（制御ユニット）と消費電流検出手段により浮動充電時に動作しているインバ−タ等の蓄電池からの消費電流を検出し、これらの値と同じ電流を充電することにより蓄電池に対する充放電量をゼロとなるような充電制御を行うことを特徴とするものである。
【発明の効果】
【０００８】
本発明の充電方法により蓄電池のＳＯＣ（容量情報）を常に一定に保つ事により、従来の部分充放電動作をなくし蓄電池の寿命を飛躍的に向上させるものである。
【発明を実施するための最良の形態】
【０００９】
以下本発明を実施するための最良の形態について、図面を参照しながら説明する。
【００１０】
（実施の形態１）
図１は本発明の実施の形態１に於ける無停電電源装置の全体を示すブロック図である。
【００１１】
図１に於いて通常時は交流電源２がリレ−３によって出力１へ接続されている。ただし交流電源２が異常（停電）の時は停電検出手段４によりリレ−３が切り替えられ電池１２をもとにＤＣ／ＡＣインバ−タによって作られるＡＣが出力１に供給される。また、電池１２はＡＣ／ＤＣコンバ−タ６を電源としＥＣＵ（制御ユニット）８にて演算される電池
のＳＯＣ（充電容量）をもとに充電制御手段７により充電される。
【００１２】
この時の充電制御に関するフロ−を図２に示す。無停電電源装置の電源ＯＮ時、もしくは停電復帰後にて蓄電池の初回充電がスタートする。この時充電電流Ｉｃｈｇは急速モ−ドに設定される。ＳＯＣ（充電容量）が８０％になると充電終了状態とし、消費電流検出手段１１により消費電流ＩｄｉｓをＶｄｉｓへ電圧変換された値をＥＣＵ８にて読み取り充電電流の基準値となるＶｏｕｔにＶｄｉｓを設定することにより消費電流Ｉｄｉｓと同じ値で充電を行う。
【００１３】
上記動作による本発明の無停電電源装置での充電タイミングチャ−トを図３にて示す。
【００１４】
本タイミングチャ−トでは縦軸に内蔵電池の電池電圧と充電制御手段７からの充電電流ＩｃｈｇとＤＣ／ＡＣインバ−タ５の駆動電流ＩｉｎｖとＥＣＵ８の駆動電流Ｉｅｃｕの和である消費電流Ｉｄｉｓを用いている。また、ＥＣＵ８は電池のＳＯＣ（充電容量）を演算する為、電池電圧検出手段１０により蓄電池の電圧読み取り動作を行っている時は駆動電流Ｉｅｃｕが増加する特徴をもつ。初回充電終了（ＳＯＣ＝８０％）後は、消費電流Ｉｄｉｓと同じ値の充電電流Ｉｃｈｇを流すことにより蓄電池への充放電量がゼロとなる状態を継続し、電池のＳＯＣを一定に保つ事ができる。
【００１５】
本動作を実現する事により蓄電池のサイクル寿命を加速させる従来の部分充放電の繰り返しを無くし、蓄電池寿命を飛躍的に向上させる最適な浮動充電方式を提供することが可能となる。
【産業上の利用可能性】
【００１６】
本発明にかかる無停電電源装置は蓄電池のＳＯＣ（充電容量）を常に一定に保つ充電方法により従来の部分充放電をなくし蓄電池の寿命を飛躍的に向上させることが可能になるので無停電電源装置に内蔵される蓄電池の充電方法及び充電装置に於ける最適な浮動充電方式として有用である。
【図面の簡単な説明】
【００１７】
【図１】本発明の無停電電源装置を示すブロック図
【図２】本発明の充電制御に関するフローチャート
【図３】本発明の無停電電源装置での充電タイミングチャ−ト
【図４】従来の無停電電源装置を示すブロック図
【図５】従来の無停電電源装置での充電タイミングチャ−ト
【符号の説明】
【００１８】
１  出力
２  交流電源
３  リレ−
４  停電検出手段
５  ＤＣ／ＡＣインバ−タ
６  ＡＣ／ＤＣコンバ−タ
７  充電制御手段
８  ＥＣＵ（制御ユニット）
９  充電電流検出手段
１０  電池電圧検出手段
１１  消費電流検出手段
１２  蓄電池
１３  充電装置
１４  ダイオ−ド
【図１】
2009165203.tif 000003
【図２】
2009165203.tif 000004
【図３】
2009165203.tif 000005
【図４】
2009165203.tif 000006
【図５】
2009165203.tif 000007
(57)【要約】【課題】  学校や家庭での机や椅子の使用時に、そのガタツキを是正する机や椅子の脚部の高さ調整可能な脚キャップを提供する。【解決手段】  キャップを二重構造とし、ゴム製内キャップ１にはスチール製の外ねじ３を装着し一体化させ、外キャップ２には内側にねじ５を設け、外キャップ２を回転させることにより上下させ、高さを微調整することを特徴とする机や椅子の脚部の高さ調整可能な脚キャップ。【選択図】図１
2009165792.tif 000002
【特許請求の範囲】
【請求項１】
キャップを二重構造とし、ゴム製内キャップ１にはスチール製の外ねじ３を装着し一体化させ、外キャップ２には内側にねじ５を設け、外キャップ２を回転させることにより上下させ、高さを微調整することを特徴とする机や椅子の脚部の高さ調整可能な脚キャップ。
【発明の詳細な説明】
【技術分野】
【０００１】  本発明は、学校や家庭での机や椅子の使用時に、そのガタツキを是正する机や椅子の脚部の高さ調整可能な脚キャップに関するものである。
【背景技術】
【０００２】  従来、机や椅子を使用していると体重などの力により歪みが生じ、脚の高さにずれが生じ、ガタツキが起こっていた。
また新品であっても床面に凹凸がある場合は同様のガタツキが起こった。
なお、脚裏部に粘着つきのゴムで貼るものや、はめ込むだけのキャップでガタツキを是正する発明が知られている。（特許文献１、特許文献２）
【特許文献１】特開２００２−５１８６８
【特許文献２】特開２００２−１３６３６９
【発明の開示】
【発明が解決しようとする課題】
【０００３】  そのために、次のような問題点があった。
（イ）筆記する場合にガタツキが起こり、正確に書けない。
（ロ）児童、生徒が勉強するとき、ガタガタして集中できない。
（ハ）キャップなどで高さを補正しても、キャップの高さがガタツキの原因の高さに合っている場合は少なく、装着しても完全にガタツキを是正することができない。
（ニ）床面に凹凸のある場合は、机や椅子を移動する度にガタツキが生じることが多い。
本発明は以上の問題点を解決しようとするものである。
【課題を解決するための手段】
【０００４】  キャップを二重構造とし、ゴム製内キャップ１にはスチール製の外ねじ３を装着し一体化させ、外キャップ２には内側にねじ５を設ける。この場合、外キャップ２は必ずしもゴム製でなくてもよい。そして外キャップ２を回転させることにより上下させ、高さを微調整する。以上を特徴とする机や椅子の脚部の高さ調整可能な脚キャップである。
【発明の効果】
【０００５】  本発明は、机や椅子のガタツキの程度に応じて高さを調整できる。したがって、ガタツキの程度が変われば、それを是正するのも容易にできるし、床面の凹凸の違いによるガタツキに対する微調整も容易にできる。
また、児童、生徒自身が使用の度にガタツキを容易に是正できるので快適な学習時間を保つこともできる。
【発明を実施するための最良の形態】
【０００６】  以下、本発明の実施の形態を説明する。
ゴム製のキャップ１にスチール製の外ねじ３を装着し、内ねじ５のついた外キャップ２を取り付ける。
本発明は、以上の構成よりなっている。
本発明を使用するときは、ガタツキの原因となる机や椅子の脚部４に上記の脚キャップを装着し、内キャップ１を保持しガタツキがなくなるまで外キャップ２を回転し高さを調整する。机や椅子を移動したときには、床面の凹凸により再度ガタツキが生じる場合があるが、それに対しても同様に外キャップ２を回転させることにより高さを微調整できる。この結果、常にガタツキを起こさない机や椅子を保持することができる。
【図面の簡単な説明】
【０００７】
【図１】  本発明の斜視図
【図２】  本発明の使用状態を示す斜視図
【図３】  本発明の分解斜視図
【符号の説明】
【０００８】  １  内キャップ
２  外キャップ
３  内キャップの外ねじ
４  机や椅子の脚部
５  外キャップの内ねじ
【図１】
2009165792.tif 000003
【図２】
2009165792.tif 000004
【図３】
2009165792.tif 000005
(57)【要約】【課題】  ペットボトルを携行するときに、いつでもどこでも簡単に手提げとして使用できるペットボトル用手提げ紐を提供する。【解決手段】  テープ状の手提げ紐の両端をペットボトル本体の上部に巻き付けて、先端部を粘着シールで剥離自在に留めたことを特徴とするペットボトル用手提げ紐。【選択図】図１
2009165795.tif 000002
【特許請求の範囲】
【請求項１】
テープ状の手提げ紐の両端をペットボトル本体の上部に巻き付けて、先端部を粘着シールで剥離自在に留めたことを特徴とするペットボトル用手提げ紐。
【請求項２】
手提げ紐を袋で束ねて接着したことを特徴とする請求項１記載のペットボトル用手提げ紐。
【発明の詳細な説明】
【技術分野】
【０００１】  本発明は、ペットボトルを携行する時、いつでもどこでも簡単に手提げとして使用できるペットボトル用手提げ紐に関するものである。
【背景技術】
【０００２】  従来は、ペットボトルはカバン入れるか手に持つか、或いは全体をカバーした形状のペットボトルホルダーに入れて携行していた。
【発明の開示】
【発明が解決しようとする課題】
【０００３】  そのためにつぎのような問題点があった。
（イ）手に持って携行する時は手が使えず不便であった。
（ロ）カバンに入れて携行する場合や、ペットボトルを所持しない時のホルダーのみを持      ち歩く際にはかさばる等煩わしかった。
本発明は以上の問題点を解決するためになされたものである。
【課題を解決するための手段】
【０００４】  テープ状の手提げ紐の両端をペットボトル本体の上部に巻き付ける。そして、先端部を粘着シールで剥離自在に留める。以上を特徴とするペットボトル用手提げ紐である。
【発明の効果】
【０００５】  本発明は、ペットボトルを持ち歩く際、紐を止めている粘着シールを剥がすことによって、そのままペットボトルを手提げとして携行することが出来る。
手提げ紐は、ペットボトル本体に最初から装着されているため、ペットボトルホルダー等を携行する必要もなくなる。
また、手提げ紐はテープ状の物を使用しているためかさばることもない。
更に手提げ紐は、ペットボトルと同じ素材を使用し、超安価であるため、用済み後は資源ごみとして回収可能である。
【発明を実施するための最良の形態】
【０００６】  以下、本発明の実施の形態について説明する。
（１）ペットボトル本体（１）の上部に手提げ紐（２）の両端（３）を接着する。
（２）手提げ紐（２）をペットボトル本体（１）に巻きつけその端末を粘着シール（４）      で留める。
（３）粘着シール（４）を剥がせば手提げとなる。
【図面の簡単な説明】
【０００７】
【図１】本発明の斜視図
【図２】本発明の使用状態を示す斜視図
【符号の説明】
【０００８】      １ペットボトル本体
２手提げ紐
３手提げ紐端末の接着面
４粘着シール
【図１】
2009165795.tif 000003
【図２】
2009165795.tif 000004
(57)【要約】【課題】  外出時に、火の元や施錠の不安を取り除くお出かけチェック付きキーホルダーを提供する。【解決手段】  上・中・下の五枚を一組として重ね合わせたキーホルダーは、上部に防火マークと防犯マークを記し、それぞれの下に窓を設け、中部には、上部窓の位置にスライド式ツマミを取り付け、左右に動かすことによって窓の表示を異なる二色（赤色などから緑色など）への切り換えが出来るものとし、スライド式ツマミと窓の両端はそれぞれ左右で磁石などによって固定することを特徴とするお出かけチェック付きキーホルダー。【選択図】図１
2009165797.tif 000002
【特許請求の範囲】
【請求項１】
上・中・下の三枚を一組として重ね合わせたキーホルダーは、上部に防火マークと防犯マークを記し、それぞれの下に窓を設け、中部には上部窓の位置にスライド式ツマミを取り付け、左右に動かすことによって窓の表示を異なる二色に相互切り換えできるものとし、スライド式ツマミと窓の両端はそれぞれ左右で磁石などによって固定されることを特徴とするお出かけチェック付きキーホルダー。
【発明の詳細な説明】
【技術分野】
【０００１】  本発明は、外出時に火の元や施錠の不安を取り除くお出かけチェック付きキーホルダーに関するものである。
【背景技術】
【０００２】  従来、外出の折、ガスの火を消したか、窓の施錠をしたかという不安にかられ、何度も家に舞い戻ったことがある。
【発明の開示】
【発明が解決しようとしている課題】
【０００３】  そのため次のような問題点があった。
（イ）家が火事になっているのでは、泥棒が入ったのではという不安から、頭の中は真っ白になり、冷や汗が流れ、心臓の鼓動が速くなり、体調に良くなかった。また、慌てることで足を踏み外したり危険がともなった。
（ロ）火の元や施錠の確認のため家に戻ることで、時間の浪費を招くとともに、約束の時間に遅れることで、信頼をそこねることもあった。
本発明は、以上の問題点を解決するためになされたものである。
【問題を解決するための手段】
【０００４】  上・中・下の三枚を一組として重ね合わせたキーホルダーは、上部に防火マークと防犯マークを記し、それぞれの下に長方形などの窓を設ける。中部には、上部窓の位置にスライド式ツマミを取り付け、左右に動かすことによって窓の表示を赤色などから緑色などに切り換えができるものとし、スライド式ツマミと窓の両端はそれぞれ左右で磁石などによって固定される。上・中・下の三枚一組のキーホルダーを上部両端に設けられたカバーで包みこむ。以上を特徴とするお出かけチェック付きキーホルダーである。
【発明の効果】
【０００５】  本発明は、外出する真際にキーホルダーの防火マークや防犯マークの下に設けられた窓のスライド式ツマミを左右に動かし、窓の表示を火の元や施錠の確認前（赤色など）から確認後（緑色など）に自らの手で切り換え、固定することで、防火・防犯の最終チェックを行うことが可能となり、安心して外出することができる。
【発明を実施するための最良の形態】
【０００６】  以下、本発明の実施の形態を説明する
キーホルダーは、上・中・下の三枚を一組とし重ね合わせたものとする。
（イ）上部に防火マークと防犯マークを記し、それぞれの下に長方形などの窓を設ける。
（ロ）上部の両端に、上・中・下をまとめて包み込み接着するカバー部分を設ける。
（ハ）中部には、上部窓の位置にスライド式ツマミを取り付け、左右に動かすことによって、窓の表示を赤色などから緑色などに切り換えができるものとする。
（ニ）スライド式ツマミと窓の両端はそれぞれ左右で磁石などで固定される。
（ホ）下部は土台とする。
（ヘ）上・中・下の三枚一組を上部両端に設けられたカバーで包み込む。
本発明は、以上の構成よりなっている。
本発明を使用するときは、外出の際に火の元や施錠の再確認をした後、防火マーク（２）や防犯マーク（３）の下に設けられた窓（４）のスライド式ツマミ（５）を動かし、窓の表示をそれぞれ赤色などから緑色などに切り換え、磁石などで固定することで、安心して外出することができる。
なお、帰宅の際には、窓の表示を緑色などから赤色などへ切り換える。
【図面の簡単な説明】
【０００７】
【図１】本発明の斜視図
【図２】本発明の分解図
【図３】本発明の使用状態を示す斜視図
【符号の説明】
【０００８】  １  キーホルダー
２  防火マーク
３  防犯マーク
４  窓
５  スライド式ツマミ
６  カバー
【図１】
2009165797.tif 000003
【図２】
2009165797.tif 000004
【図３】
2009165797.tif 000005
(57)【要約】【課題】  講習などでテーブルの設置がない場に、パイプ椅子に座って話を聞きながらメモを執る際、不安定な組んだ膝の上にテキストのようなものを敷いて書いたりしての不都合を解決すること。【解決手段】  従来、使用しているパイプ椅子のフレームに、予め高さを調節しながら簡単に簡易テーブルが取りつけられる事で、この課題を解決する。【選択図】図１
2009165796.tif 000002
【特許請求の範囲】
【請求項１】
従来のパイプ椅子に座って筆記可能で高さが調節でき安定したテーブルを設けた事と、そのテーブルは、座る際に人体のお腹の部分が邪魔にならないような形状と広さであって、スムーズに椅子に着席できるように面を取り加工してある事と、テーブルからアーム、パイプ椅子のフレームに接合部分まで全て一体化にした事と、軽くて強度のあるアルミ素材を使用している事を特徴とするパイプ椅子簡易テーブル。
【請求項２】
テーブルがしっかり固定され動かないように、パイプ椅子のフレームに一体化したテーブルのＡ接合部分を特定の金具とスプリングで締めつけるようにした事と、その二ヵ所の特定の金具の働きで簡単にテーブルの取り付け、取はずしを可能にした事を特徴とするパイプ椅子簡易テーブル。
【発明の詳細な説明】
【技術分野】
【０００１】  本発明は、パイプ椅子に関するものであり、今までのパイプ椅子のフレームの部分に必要に応じて簡単に取り付け、取はずしのできるテーブルを新たに取りつけたものである。
【背景技術】
【０００２】  従来から、パイプ椅子用の簡単に取り付け、取はずしのできるテーブルはなかった。
【発明の開示】
【発明が解決しようとする課題】
【０００３】  テーブルの設置されていない講習。時にはパイプ椅子から立って演習、座って主要ヵ所の記録をしたりで、テキストを立位時は椅子の上に置き、座位時は膝を組んだ上でメモを執る。そうした事の繰り返しで、薄めのファイルでは下敷きにならない。どうもスラスラと記録が思うようにできないという不都合を解決する事を課題とする。
【課題を解決するための手段】
【０００４】  この課題を解決するための請求項１の発明は、個人に合った高さが調節でき安定したテーブルを新たに取りつけた事によって、従来のパイプ椅子に座っての筆記が可能となり、そのテーブルは座る際に人体のお腹の部分が邪魔にならないような形状と広さで、スムーズに椅子に着席できるように面を取り加工してあり、テーブルからアーム、パイプ椅子の接合部分まで全て一体とし、メモを執る際、腕の重量が掛る事もあり、その為に軽くて強度のあるアルミ素材にした。【０００５】  また、請求項２の発明は、テーブルがしっかりと固定され動かないように一体化したテーブルとパイプ椅子のフレームのＡ接合部分に、特定の金具とスプリングで締めつけるようにし、その特定の金具の働きで簡単にテーブルの取りつけ、取はずしを可能にした。
【発明の効果】
【０００６】  本発明により、狭い部屋などで、どうしてもテーブルが設置できない時に、パイプ椅子のフレームに高さを調節しながら簡単に簡易テーブルが取りつけられ、筆記用具を必要とする講習会などに対応が可能です。又、パイプ椅子の収納時や簡易テーブルが不要なときも、簡単に取はずしもできる。
【発明を実施するための最良の形態】
【０００７】  図１は、従来のパイプ椅子に簡易テーブルを取りつけた事を特徴とするパイプ椅子簡易テーブルの斜視図である。図で示すようにテーブルの形状や、広さは座る人の配慮がなされている。【０００８】  図２は、Ａ接合部分の詳細でパイプ椅子簡易テーブル（本体）とパイプ椅子のフレームの接合部分で上下２ヵ所の特定の金具の斜視図である。その金具とスプリングの働きで、テーブルがしっかりと固定され動かなく、しかも、パイプ椅子簡易テーブルをパイプ椅子に簡単に取りつけ、取はずしができる事を特徴とする。【０００９】  パイプ椅子は、各種研修や講習などの会合に使用頻度が多い事から、自治体などの団体機関に働きかけ、必要に応じてテーブルの設置を取り止め、このパイプ椅子簡易テーブルを使用する事で大きな活躍が期待できる。
【産業上の利用可能性】
【００１０】  本発明に係るかかるパイプ椅子簡易テーブルは、工業的に量産する事が可能である為、産業上の利用可能性を有する。
【図面の簡単な説明】
【００１１】
【図１】  従来のパイプ椅子に、パイプ椅子簡易テーブルを新たに設けた斜視図である。
【図２】  パイプ椅子簡易テーブルを取りつけたＡ接合部分の斜視図である。
【図３】  パイプ椅子簡易テーブルを取りつけた時の、特定の金具とスプリングの姿図である。
【符号の説明】
【００１２】  １      簡易テーブル（本体）
２      簡易テーブルのアーム（本体）
３      特定の金具
４      特定の金具に付くスプリング
５      パイプ椅子のアームを受ける部分（本体）
６      スプリングを引っかける部分（本体）
７      パイプ椅子のアーム
８      従来の椅子
【図１】
2009165796.tif 000003
【図２】
2009165796.tif 000004
【図３】
2009165796.tif 000005
(57)【要約】【課題】    葬儀の際遺体に着用させる死装束は従来葬祭業者が持参した白無地の簡素な着物等が多く、丁重に葬送したいと願う遺族には悔いの残るものであった。【解決手段】    そこでこの発明は白地の着物の胸元に仏教各宗派の御本尊、御経典、御唱名、御宝号、御題目を絵付けすることにより、死装束の格式を高めて死者に対する敬意を表し、遺族の心情にも応えられるものとなっている。  【選択図】図１
2009165734.tif 000002
【特許請求の範囲】
【請求項１】
葬儀の際遺体に着用させる着物であって、白地の着物の胸元へ仏教各宗派の御本尊御経典と、御唱名又は御宝号又は御題目をまとめて絵付けし、その絵付けは転写プレス加工の技術を使用してカラー絵付けとモノクロ絵付けとが施されていることを特徴とする白装束。
【発明の詳細な説明】
【技術分野】
【０００１】
この発明は白装束、遺体に着させるいわゆる死装束に関するものである。
【背景技術】
【０００２】
従来、身内の死に直面した場合、誰しもその現実に気が動転し死装束まで考えも及ばず、パジャマや寝間着姿またはその時に葬祭業者が持参した白の死装束を着せる事が多く、心のこもった見送りができずに後に後悔することが多かった。またその際の死装束は経帷子と称してはいるが、現実には経が着物に書いていないものが多く、本当の意味の経帷子とはいえないものであった。
【発明の開示】
【発明が解決しようとする課題】
【０００３】
そこでこの発明は、上記の欠点を解決するために考え出したものであり、本当の意味の経帷子を遺体に着用させることで死者への敬意を表し、心のこもった、悔いを残さない葬送をすることを狙いとするものである。
【課題を解決するための手段】
【０００４】
遺体に着用させる白地の着物の胸元に御本尊、御経典、御唱名、御宝号、御題目をまとめて絵付けする事により、死者に本当の意味の経帷子を着用させることになり、死者が生前信仰し、また先祖代々受け継いだ仏教各宗派の御本尊、御経典、御唱名、御宝号、御題目を身にまとって旅立つことができる。そのことが遺族の方々の慰めになり悔いの残らない葬送をすることにつながる。
【発明の効果】
【０００５】
この発明によると、死者が本当の意味の経帷子を着ることでお釈迦様の元へ旅立つ晴れ着となって、遺族の方々の慰めになり悔いの残らない葬送をすることができる。
【発明を実施するための最良の形態】
【０００６】
図１は、白地の着物１の左右胸元に御経典、御唱名、御宝号、御題目等はモノクロで印字２し、御本尊他はカラー３で絵付けされた死装束を表わしている。ここでの絵付けは転写プレス加工の技術を用いて、白生地に鮮明に施されていることを特長とする。
【図面の簡単な説明】
【０００７】
【図１】本発明の白装束を広げた図である。
【符号の説明】
【０００８】
１  白地の着物
２  モノクロの御経典
３  カラーの御本尊
【図１】
2009165734.tif 000003
(57)【要約】【課題】  薬を服用するためには、薬剤シートから薬を取り出さなければなりませんが様々な障害で、自分で薬剤シートから取り出すことができず、誰かに取り出してもらわなければならないという不都合を解決することを課題とする。【解決手段】  軸（４）に薬剤シート置き板（７）を固着しその薬剤シート置き板（７）の中間に軸（１１）を設けその軸に薬剤シート挟み板（９）を固着しその薬剤シート置き板（７）と薬剤シート挟み板（９）には共に孔（６）と孔（８）を設け、下方に突起（１４）を設け孔（６）と孔（８）が貫通成る様にした。【選択図】図４
2009165783.tif 000002
【特許請求の範囲】
【請求項１】
薬剤シート置き板（７）に薬剤シート凸部入れ孔（６）を設け、薬剤シート挟み板（９）に抜き孔（８）を設けたものを軸（１１）に固着し突起（１４）を設けて薬剤シートの中の粒状薬の取り出し装置。
【発明の詳細な説明】
【技術分野】
【０００１】  本発明は、凸状になっている１枚のシートの中に粒状の薬が入っていて、その上に平たいシートを溶着させた薬剤シートの中の薬を、手の不自由な人例えば握力の弱い人や片手の人その他手に何らかの障害があって簡単に薬を取り出すことの出来ない人のためにその薬剤シートから簡単に薬を取り出すことの出来る様にしたものである。
【背景技術】
【０００２】  先願調査並びに、一般市場調査を行った結果この様な薬の取り出し装置は見当らなかった。
【発明の開示】
【発明が解決しとうとする課題】
【０００３】  一般的に薬は粒状が多い様ですがその薬を服用するためには、薬剤シートから薬を取り出さなければなりませんが、様々な障害で、自分で薬剤シートから取り出すことができず、誰かに取り出してもらわなければならないという不都合を解決することを課題とする。
【課題を解決するための手段】
【０００４】  台（２）に垂直に設けた本体（１’）（１”）に軸孔（３’）（３”）を設け、その軸孔に、軸（４）を設けその軸（４）に片１方に戻しバネかけアーム（５）を固着し、その片１方に薬剤シート置き板（７）を固着し軸（４）で回動なる様にした。その薬剤シート置き板（７）の先部に薬剤シート凸部（１７）が入る様にした薬剤シート凸部入れ孔（６）を設けた、薬剤シート置き板（７）の中間に軸受け（１５’）（１５”）を設け１方をハンドル部（１０）としたクランク状の軸（１１）を設けた、その軸（１１）に薬剤シート挟み板（９）を固着した、その薬剤シート挟み板（９）に薬剤シート凸部入れ孔（６）と合うように抜き孔（８）を設けた。戻しバネかけアーム（５）と台（２）とに引きバネ（１２）を設けた。本体（１’）（１”）にストッパー（１３）を設け薬剤シート置き板（７）が常に平らになっているようにした。また、軸（４）に設けた薬剤シート置き板（７）を下方に回動した時に薬剤シート凸部入れ孔（６）と薬剤シート挟み板（９）の抜き孔（８）とを貫通成る様に突起（１４）を設けた、図（１）に示す様に下方に薬剤受け容器（１８）を置けるスペースを設け以上のような構造にしたものである。
【発明の効果】
【０００５】  本発明は、図（２）に示す様にハンドル部（１０）で薬剤シート挟み板（９）を開き、薬剤シートの凸部（１７）を下にして薬剤シート凸部入れ孔（６）に入れ、ハンドル部（１０）を時計の反対方向に回動する事によって、図３に示すように薬剤シート（１６）が薬剤シート置き板（７）と薬剤シート挟み板（９）に挟装された状態で軸（４）の回動で薬剤シート置き板（７）が下がり、突起（１４）に突き当たり薬剤シート凸部入れ孔（６）と、薬剤シート挟み板（９）の抜き孔（８）とを貫通することによって薬剤シートの中の粒剤が簡単に取り出すことが出来、図１に示すように薬剤受け容器（１８）にころげ入り体に障害のある人でも薬剤を簡単に取り出すことが出来るものである。特に薬剤シートを置くときに凸部（１７）を下にして、薬剤シート凸部入れ孔（６）にセットすることは非常に簡単であるし、また薬剤シート凸部入れ孔（６）と抜き孔（８）の孔の大きさは一般的な薬剤の大きさの孔にしておけば大小の薬に関係なくセットすることが出来また空になった薬剤シート（１６）を取り出すのにもハンドル（１０）を元に戻すことによって図２に示すように薬剤シート挟み板（９）が開き空になったシートを簡単に取り出すことの出来るものである。特に何種類もの薬を服用しなければならない人で介護者に頼るほかない人が、自分で出来る様になれば体に障害のある人のリハビリ的効果や介護者の負担の軽減も合わせ持つ効果がある。
【図面の簡単な説明】
【図１】  薬剤が取り出された側面図である。
【図２】  本発明の構造を示した側面図である。
【図３】  薬剤シート置き板（７）と薬剤シート挟み板（９）とで挟装した側面図である。
【図４】  本発明の構造を示した斜視図である。
【符号の説明】
【０００６】  １’１”    本体
２          台
３’３”    軸孔
４          軸
５          戻しバネかけアーム
６          薬剤シート凸部入れ孔
７          薬剤シート置き板
８          抜き孔
９          薬剤シート挟み板
１０          ハンドル
１１          クランク状の軸
１２          引きバネ
１３          ストッパー
１４          突起
１５’１５”  軸受け
１６          薬剤シート
１７          薬剤シート凸部
１８          薬剤受け容器
１９          薬剤
【図１】
2009165783.tif 000003
【図２】
2009165783.tif 000004
【図３】
2009165783.tif 000005
【図４】
2009165783.tif 000006
(57)【要約】【課題】従来は、爪みがきとＣＭステッカーだった。したがって、不便だった。それを１つにして、便利なＣＭステッカーを貼り付けた爪みがきを提供する。【解決手段】爪みがき（１）の両面のり（２）が付いたフィルムシート（３）にＣＭステッカー（４）をフィルムシート（３）にＣＭステッカー（４）をフィルムシート（３）と土台（５）に挟み込むことが特徴とする。【選択図】図１
2009165784.tif 000002
【特許請求の範囲】
【請求項１】
６面の直方体と両脇に塗料を吹き付けた爪みがき
【請求項２】
爪みがきの４面にステッカー（会社・お店の知名度アップのための販売促進ツール・オンリーワン（個人の自己表現））として、貼り付けた爪みがき
【発明の詳細な説明】
【技術分野】
【０００１】この発明は、爪みがきの土台にステッカー（会社・お店の知名度アップのための販売促進ツール・オンリーワン（個人の自己表現））として、貼り付けた爪みがきに関するものである。
【背景技術】
【０００２】従来、爪みがきとステッカーは、別々になっていた。
【発明の開示】
【発明が解決しようとする課題】
【０００３】これは、次のような問題点があった。
必要なときに、会社・お店のＣＭステッカーが見つからず、不便な場合が多かった。
本発明は、以上のような欠点をなくすためになされた。
【課題を解決するための手段】
【０００４】爪みがきの土台にＣＭステッカーを貼り付ける。
以上の構成よりなるＣＭステッカーを付ける爪みがきである。
【発明の効果】
【０００５】ＣＭステッカーが爪みがきと一体になっているので、ＣＭステッカーが必要になった場合でも、探す手間が省ける。
ＣＭステッカーを爪みがきの土台に貼り付けているので、使うのになんらさしつかえがない。
【発明を実施するための最良の形態】
【０００６】以下、本発明の実施例について説明する。
爪みがき（１）の６段階に粒子の大きさのわけ、塗料で両面にのり（２）が付いたフィルムシート（３）に吹き付け、ＣＭステッカー（４）をフィルムシート（３）と、土台（５）の間に挟み込む。
本発明は、以上のような構造で、これを使用する時は、爪みがきと一体になった、人と会った時などは、ＣＭとして活用すればいい。
【図面の簡単な説明】
【０００７】
【図１】本発明の斜視図である。
【符号の説明】
１  爪みがき
２  のり
３  フィルムシート
４  ＣＭステッカー
５  土台
【図１】
2009165784.tif 000003
(57)【要約】      （修正有）【課題】指や手の平を用いてマッサージする方式の、散布される肌に定常的に効果的なマッサージを行うことができない点が改善され、マッサージ用クリームやローションの肌への直接散布が効果的に行える美顔肌マッサージ器を提供する。【解決手段】本体１内部に振動部材２を備えた小室吸着盤を備え、マッサージ用クリームやローションが小室吸着盤より塗布されるパッド１、７、及び凸パッドで半リングを備えたパッド２が、取り替えできる構成とする。【選択図】図１
2009165785.tif 000002
【特許請求の範囲】
【請求項１】
凹凸パットは、小室吸着盤を備えた美顔肌吸引携帯用振動マッサージ器具。
【請求項２】
パット１は、マッサージ用クリームやローションが小室吸着盤より塗布する美顔肌マッサージ器具。
【請求項３】
パットは１と２で取替ができる。パット２は凸パットで半リングを備え、指の関節マッサージ器になる。半リングは折り曲げ収納される凸マッサージ器で、健康美容マッサージ器具。
【発明の詳細な説明】
【技術分野】
【０００１】  この考案はパットに小室吸着盤で、マッサージ用クリームやローションが振動部材より散布、装置に関するものである。【０００２】  パット２は１と取替ができ、パット２は半リングを備えた指や関節マッサージ器具で、折り曲げ収納され凸マッサージ健康装置に関するものである。
【背景技術】
【０００３】  美容の分野で顔面直接散布（塗布）し、そこで指先や手の平で顔面肌をマッサージによるのが一般的であった。
【発明の開示】
【発明が解決しようとする課題】
【０００４】  しかしながら、上記のように指や手の平を用いてマッサージする方式では、人がマッサージを行うためにいつでも最適なマッサージを行うとは限らず、散布される肌には定常的に効果的なマッサージを行うことができない問題がある。【０００５】  本発明のパットはマッサージ用クリームやローションが振動部材で小室吸着盤より散布する美顔肌マッサージ器具を提供するものである。
【課題を解決するための手段】
【０００６】  本発明の小室吸着盤が振動部材を備え、吸引マッサージ器の特徴とする。【０００７】  吸着盤よりマッサージ用クリームやローションが振動部材より散布される装置に関するものである。【０００８】  この考案のパットは半リングを備え、指や関節のマッサージ器となり、半リングを折り曲げ収納できて、凸健康マッサージ用クリームやローションを散布する健康マッサージ器具。
【発明の効果】
【０００９】  凹凸小室吸着盤が振動部材を備え、マッサージ用クリームやローションが肌に散布され、肌の皮脂や毛穴等に埋没している老廃物がなめらかに吸引する、美顔肌マッサージ器。【００１０】  パットは小さくて手の平に収納され、皮膚のそばでの吸着盤美容マッサージが特徴である。【００１１】  パット２は半リングを備え、振動部材により指や関節をマッサージ、半リングは折り曲げ収納される凸マッサージ健康器具。【００１２】  図３は半リングが収納され凸マッサージ器になり、マッサージ用クリームやローションで塗布し、皮膚もなめらかにマッサージ提供ができるものである。
【発明を実施するための最良の形態】
【００１３】  パットは長円盤状であり、手の平に収納され顔面肌側でのマッサージ器具。
【実施例】
【００１４】  本発明パット実施例により説明すると図１と３に示すように、巾６０ｍｍ、高さ１００ｍｍ、厚さ３０ｍｍ丸円形パットマッサージ器具。
【図面の簡単な説明】
【００１５】
【図１】凹凸パットは、小室吸着盤を備えた美顔肌吸引携帯用振動マッサージ器具。
【図３】パットは１と２で取替ができる。パット２は凸パットで半リングを備え、指の関節マッサージ器になる。半リングは折り曲げ収納される凸マッサージ器で、健康美容マッサージ器具。
【符号の説明】
１．本体
２．振動部材
３．ローション入口
４．凹
５．凸
６．ローション放出口
７．パット１
８．パット２
９．バッテリー
１０．折り曲げリング
１１．アタッチメント
１２．スイッチ
【図１】
2009165785.tif 000003
【図２】
2009165785.tif 000004
【図３】
2009165785.tif 000005
【図４】
2009165785.tif 000006
【手続補正書】
【提出日】平成20年3月11日(2008.3.11)
【手続補正１】
【補正対象書類名】明細書
【補正対象項目名】００１５
【補正方法】変更
【補正の内容】
【００１５】
【図面の簡単な説明】
【図１】請求項１の発明を横から見た構造を示す図である。
【図２】請求項１の発明を肌に接する側から見た図である。
【図３】請求項２の発明を横から見た構造を示す図である。
【図４】請求項２の発明を肌に接する側から見た図である。
【符号の説明】
１  本体
２  振動部材
３  ローション入口
４  凹
５  凸
６  ローション放出口
７  パット１
８  パット２
９  バッテリー
１０  折り曲げリング
１１  アタッチメント
１２  スイッチ